【手続補正書】
【提出日】平成16年12月27日(2004.12.27)
【手続補正１】
【補正対象書類名】明細書
【補正対象項目名】発明の名称
【補正方法】変更
【補正の内容】
【発明の名称】映像音声信号記録再生装置及びデジタル放送受信装置
【手続補正２】
【補正対象書類名】明細書
【補正対象項目名】特許請求の範囲
【補正方法】変更
【補正の内容】
【特許請求の範囲】
【請求項１】
映像音声信号を記録及び再生する記録再生手段と、
前記記録再生手段から再生される音声信号のレベルに基づいて、前記記録再生手段による映像音声信号の再生速度を動的に制御する再生速度制御手段と
を備えたことを特徴とする映像音声信号記録再生装置。
【請求項２】
前記再生速度制御手段による再生速度の制御は、音声信号のレベルが高くなるにつれ再生速度を遅くする制御であることを特徴とする請求項１に記載の映像音声信号記録再生装置。
【請求項３】
再生速度記憶指示操作がなされた時点の前記記録再生手段の再生速度を記憶する再生速度記憶手段を備え、
前記再生速度制御手段が、前記記録再生手段の再生速度を前記再生速度記憶手段に記憶された再生速度に基づいて設定する
ことを特徴とする請求項１又は２のいずれかに記載の映像音声信号記録再生装置。
【請求項４】
前記記録再生手段への番組の記録の開始から停止に至る記録時間を算出する記録時間算出手段と、
前記記録された番組の記録時間を表示し、その番組の再生希望時間の入力を促すメッセージを画面表示する手段と、
前記再生希望時間を入力する手段とを備え、
前記再生速度制御手段が、前記記録された番組を前記再生希望時間で再生し終えるように前記記録再生手段の再生速度を制御する
ことを特徴とする請求項１乃至３のいずれかに記載の映像音声信号記録再生装置。
【請求項５】
音声信号レベルに基づく重み値を生成する手段と、
音声信号のアドレス値と前記重み値を対応付けて前記記録再生手段に記憶させる手段とを備え、
記録時に、前記音声信号のアドレス値とそれに対応した重み値とが前記記録再生手段に記録され、
再生時に、前記再生速度制御手段が、前記記録再生手段に記録された音声信号のアドレス値とそれに対応した重み値に基づいて、前記記録された番組を前記再生希望時間で番組を再生し終えるように前記記録再生手段の再生速度を制御する
ことを特徴とする請求項４に記載の映像音声信号記録再生装置。
【請求項６】
限界再生速度記憶指示操作がなされた時点の前記記録再生手段の再生速度を記憶する限界再生速度記憶手段と、
音声を消音する手段とを備え、
前記音声を消音する手段により、前記記録再生手段の再生速度が前記限界再生速度を超えた場合に、再生された音声を消音させる
ことを特徴とする請求項１乃至５のいずれかに記載の映像音声信号記録再生装置。
【請求項７】
番組の記録を予約する手段を更に備え、
前記記録再生手段はランダムアクセス可能な記録媒体を有する
ことを特徴とする請求項１乃至６のいずれかに記載の映像音声信号記録再生装置。
【請求項８】
デジタル放送信号を受信する受信手段と、
前記前記受信手段により受信されたデジタル放送信号に基づく映像音声信号を記録及び再生する、請求項１乃至７のいずれかに記載の前記映像音声信号記録再生装置と
を有することを特徴とするデジタル放送受信装置。
【手続補正３】
【補正対象書類名】明細書
【補正対象項目名】０００８
【補正方法】変更
【補正の内容】
【０００８】
本発明の課題は、受信した信号の記録再生手段を有し、特にサッカーや野球等のスポーツ番組の再生時、音声レベルの高くなる得点シーン等の重要シーンか否かにより、自動的に再生速度が変更される装置を提供することである。
【手続補正４】
【補正対象書類名】明細書
【補正対象項目名】０００９
【補正方法】変更
【補正の内容】
【０００９】
【課題を解決するための手段】
上記課題は、映像音声信号を記録及び再生する記録再生手段と、前記記録再生手段から再生される音声信号のレベルに基づいて、前記記録再生手段による映像音声信号の再生速度を動的に制御する再生速度制御手段とを備えたことを特徴とする映像音声信号記録再生装置により解決される。
また、前記再生速度制御手段による再生速度の制御は、音声信号のレベルが高くなるにつれ再生速度を遅くする制御とすることができる。
【手続補正５】
【補正対象書類名】明細書
【補正対象項目名】００１０
【補正方法】変更
【補正の内容】
【００１０】
また、再生速度記憶指示操作がなされた時点の前記記録再生手段の再生速度を記憶する再生速度記憶手段を備え、前記再生速度制御手段が、前記記録再生手段の再生速度を前記再生速度記憶手段に記憶された再生速度に基づいて設定することができる。
【手続補正６】
【補正対象書類名】明細書
【補正対象項目名】００１１
【補正方法】変更
【補正の内容】
【００１１】
また、前記記録再生手段への番組の記録の開始から停止に至る記録時間を算出する記録時間算出手段と、前記記録された番組の記録時間を表示し、その番組の再生希望時間の入力を促すメッセージを画面表示する手段と、前記再生希望時間を入力する手段とを備え、前記再生速度制御手段が、前記記録された番組を前記再生希望時間で再生し終えるように前記記録再生手段の再生速度を制御することができる。
【手続補正７】
【補正対象書類名】明細書
【補正対象項目名】００１２
【補正方法】変更
【補正の内容】
【００１２】
また、音声信号レベルに基づく重み値を生成する手段と、音声信号のアドレス値と前記重み値を対応付けて前記記録再生手段に記憶させる手段とを備え、記録時に、前記音声信号のアドレス値とそれに対応した重み値とが前記記録再生手段に記録され、再生時に、前記再生速度制御手段が、前記記録再生手段に記録された音声信号のアドレス値とそれに対応した重み値に基づいて、前記記録された番組を前記再生希望時間で番組を再生し終えるように前記記録再生手段の再生速度を制御することができる。
【手続補正８】
【補正対象書類名】明細書
【補正対象項目名】００１３
【補正方法】変更
【補正の内容】
【００１３】
また、限界再生速度記憶指示操作がなされた時点の前記記録再生手段の再生速度を記憶する限界再生速度記憶手段と、音声を消音する手段とを備え、前記音声を消音する手段により、前記記録再生手段の再生速度が前記限界再生速度を超えた場合に、再生された音声を消音させることができる。
【手続補正９】
【補正対象書類名】明細書
【補正対象項目名】００２１
【補正方法】変更
【補正の内容】
【００２１】
このために、音声信号生成部９で生成された音声信号は音声レベル変換部２３に送られ音声信号のレベルを表す音声レベル値が生成される。この音声レベル値は、重み付け部２４に送られ、該重み付け部２４は、音声レベル値の最小値及び最大値間を等間隔に分け、各音声レベル値が該間隔のどの順位に相当するかを調べ、音声レベル値を量子化して重み値を生成する。この重み値は再生速度コントローラ５が再生速度を計算する際に用いられる値であり、アドレスメモリ２５は、音声信号のアドレス値を各重み値に対応させて記憶する。
【手続補正１０】
【補正対象書類名】明細書
【補正対象項目名】００２２
【補正方法】変更
【補正の内容】
【００２２】
再生時、再生速度コントローラ５は、アドレスメモリ２５の内容を参照して、図２に示すように、音声レベルが高くなるにつれ再生速度が遅くなるように再生速度を制御する。従って、スポーツ中継番組などで得点シーンなど音声レベルの高いシーンをスローで再生し音声レベルの低い他のシーンを通常の速度で再生することができる。あるいは、音声レベルの低いシーンは高速再生し、音声レベルの高いシーンを通常速度で再生することもできる。
【手続補正１１】
【補正対象書類名】明細書
【補正対象項目名】００３１
【補正方法】変更
【補正の内容】
【００３１】
尚、上記実施の形態３においても、実施の形態１と同様に音声レベルにより再生速度を変化させることができる。即ち、記録時、音声信号生成部９で生成された音声信号は音声レベル変換部２３に送られ音声信号のレベルを表す音声レベル値が生成される。この音声レベル値は、重み付け部２４に送られ、該重み付け部２４は、音声レベル値の最小値及び最大値間を等間隔に分け、各音声レベル値が該間隔のどの順位に相当するかを調べ、音声レベル値を量子化して重み値を生成する。アドレスメモリ２５は音声信号のアドレス値を各重み値に対応させて記憶する。このアドレス値はＣＰＵ１３を介してハードディスク装置のアドレスメモリ２６にも記憶される。再生時、再生速度コントローラ５は、アドレスメモリ２６の内容を参照して、音声レベルが低いシーンでは再生速度を速くし、音声レベルが高いシーンでは再生速度が遅くなるようにしながら、ユーザが設定した時間で再生が終了するように再生速度を制御する。
【手続補正１２】
【補正対象書類名】図面
【補正対象項目名】図１
【補正方法】変更
【補正の内容】
【図１】
2002016858.tif 000001
【手続補正１３】
【補正対象書類名】図面
【補正対象項目名】図３
【補正方法】変更
【補正の内容】
【図３】
2002016858.tif 000002